(57)【要約】      （修正有）【課題】布糸作製用定規において、所定幅の布糸を正確に複数作製する。【解決手段】板状の定規本体２と、定規本体２に所定間隔を空けて複数平行に配された直線状の複数のガイド孔３と、を備えている。さらに、ガイド孔３の孔幅が、定規本体２の表面側から底面側に向けて漸次狭く設定されている。これにより、ガイド孔３に筆記具又はカッターの先端を差し込んでガイド孔３に沿って線引き又は裁断することで、幅が一定で正確な布糸を複数本、容易に作製することが可能になる。【選択図】図１
0003120466.tif 000002
【実用新案登録請求の範囲】
【請求項１】
板状の定規本体と、
前記定規本体に所定間隔を空けて複数平行に配された直線状の複数のガイド孔と、を備えていることを特徴とする布糸作製用定規。
【請求項２】
請求項１に記載の布糸作製用定規において、
前記ガイド孔の孔幅が、前記定規本体の表面側から底面側に向けて漸次狭く設定されていることを特徴とする布糸作製用定規。
【請求項３】
請求項１又は２に記載の布糸作製用定規において、
複数の前記ガイド孔が、２以上の領域に分けられて配されており、
前記領域毎に前記所定間隔が異なることを特徴とする布糸作製用定規。
【請求項４】
請求項１から３のいずれか一項に記載の布糸作製用定規において、
前記ガイド孔が、その長さ方向に補強部を介して複数に分断されて形成されていることを特徴とする布糸作製用定規。
【請求項５】
請求項１から４のいずれか一項に記載の布糸作製用定規において、
前記定規本体に、前記ガイド孔に沿って目盛りが表示されていることを特徴とする布糸作製用定規。
【請求項６】
請求項１から５のいずれか一項に記載の布糸作製用定規において、
前記定規本体が、透明又は半透明の材料で形成されていることを特徴とする布糸作製用定規。
【考案の詳細な説明】
【技術分野】
【０００１】
本考案は、布を一定の幅に裁断した布糸を作製するために用いる布糸作製用定規に関する。
【背景技術】
【０００２】
従来より、編み物等の手工芸や織物等が盛んに行われているが、近年、布を一定の幅に裁断してひも状又はテープ状にした、いわゆる布糸を用いた編み物（布裂き編み又は裂き布編み等とも呼ばれている）が注目されている。この布糸を用いた編み物や織物では、一般の毛糸等を用いた編み物や織物とは異なる模様、色合い、肌触り及び強度等が得られ、独特で個性的な編み物や織物とすることができる。また、古着や端布等の種々の布を裁断して再利用することができる利点も有している。
この布糸は、上述したように布を一定の幅に裁断してひも状にする必要があるが、従来、例えば特許文献１に示すように、作業者が布の耳にハサミで切り込みを入れて裂いたり、ハサミを用いて布を複数のひも状に切ることで作製している。
【０００３】
【特許文献１】特開２００３−２５３５３３号公報
【考案の開示】
【考案が解決しようとする課題】
【０００４】
上記従来の技術には、以下の課題が残されている。
従来は、布糸を作製する際は、上述したように布に切り込みを入れて裂いたり、ハサミを用いて布をひも状に切っているが、作業者の手により所定の幅になるように裁断することは難しく、布糸の幅が一定にならないと共に複数の布糸で幅が均一化できないという不都合があった。また、布糸の作製のために自動裁断装置を採用することも考えられるが、一般家庭等の手工芸用とするには、コストが高すぎる問題がある。
【０００５】
本考案は、前述の課題に鑑みてなされたもので、所定幅の布糸を正確に複数作製することを容易にすると共に低コストな布糸作製用定規を提供することを目的とする。
【課題を解決するための手段】
【０００６】
本考案は、前記課題を解決するために以下の構成を採用した。すなわち、本考案の布糸作製用定規は、板状の定規本体と、前記定規本体に所定間隔を空けて複数平行に配された直線状の複数のガイド孔と、を備えていることを特徴とする。
【０００７】
すなわち、布糸を作製するには、裁断する布の上に上記本考案の布糸作製用定規を置き、ガイド孔に鉛筆等の筆記具の先端を差し込んでガイド孔に沿って線引きする。上記線引きの際に、筆記具の先端がガイド孔にガイドされるため、この線引き作業を複数のガイド孔で行うことで、所定間隔を空けて平行な複数の線を布上に書くことができる。この複数の平行線に沿ってハサミ等で裁断することにより、幅が一定で正確な布糸を複数本、容易に作製することが可能になる。
【０００８】
また、本考案の布糸作製用定規にセラミックペンカッター等のカッターを用いれば、線引き作業を行わずに直接裁断を行って布糸を作製することも可能である。すなわち、ガイド孔にカッターの先端を差し込んでガイド孔に沿って直接布を切ることで、カッターの先端がガイド孔にガイドされ、所定間隔を空けて一定の幅の布糸を複数本、容易にかつ正確に裁断することができる。
なお、複数平行に並んだガイド孔に対して、布糸の目的や好みに応じて、１本毎、１本おき又は２本おきに上記線引きや裁断を行うことで、一つの定規で様々な糸幅の布糸を作製することが可能である。
【０００９】
また、本考案の布糸作製用定規は、前記ガイド孔の孔幅が、前記定規本体の表面側から底面側に向けて漸次狭く設定されていることが好ましい。すなわち、この布糸作製用定規では、ガイド孔の孔形状が孔の幅中央に向かったテーパー状に形成されているため、ガイド孔に差し込まれた筆記具やカッターの先端の位置決めが容易となり、ズレやブレ等を抑制することができる。
【００１０】
また、本考案の布糸作製用定規は、複数の前記ガイド孔が、２以上の領域に分けられて配されており、前記領域毎に前記所定間隔が異なることを特徴とする。すなわち、この布糸作製用定規では、複数の領域に異なる間隔の複数のガイド孔がグループ分けして形成されているので、より様々な幅の布糸を一つの定規で作製することが可能になる。
【００１１】
また、本考案の布糸作製用定規は、前記ガイド孔が、その長さ方向に補強部を介して複数に分断されて形成されていることが好ましい。すなわち、この布糸作製用定規では、補強部を介してガイド孔が複数に分断されているので、１本の長いガイド孔の場合に比べて、定規本体の強度を高く維持することができ、定規本体の歪みを抑制してより直線性の良い布糸を作製することができる。また、定規本体の強度が維持されているので、定規の取り扱い性及び耐久性に優れている。
【００１２】
また、本考案の布糸作製用定規は、前記定規本体に、前記ガイド孔に沿って目盛りが表示されていることが好ましい。すなわち、この布糸作製用定規では、ガイド孔に沿った目盛りが定規本体に設けられているので、編み物ゲージを図ることも可能になる。
【００１３】
また、本考案の布糸作製用定規は、前記定規本体が、透明又は半透明の材料で形成されていることが好ましい。すなわち、この布糸作製用定規では、定規本体が透明又は半透明の材料で形成されているので、布糸の線引き又は裁断を行う際に、定規下の布の位置や模様等を定規上から確認することができる。
【考案の効果】
【００１４】
本考案によれば、以下の効果を奏する。
すなわち、本考案に係る布糸作製用定規によれば、定規本体に所定間隔を空けて複数平行に配された直線状の複数のガイド孔を備えているので、ガイド孔に筆記具又はカッターの先端を差し込んでガイド孔に沿って線引き又は裁断することで、幅が一定で正確な布糸を複数本、容易に作製することが可能になる。したがって、従来、手作業で行っていた布糸の裁断を、より容易にかつ正確に行うことができ、さらに多様で高精度な布糸編み物又は布糸織物を低コストで容易に得ることが可能になる。
【考案を実施するための最良の形態】
【００１５】
以下、本考案に係る布糸作製用定規の一実施形態を、図１から図４を参照しながら説明する。
【００１６】
本実施形態の布糸作製用定規１は、布を一定の幅でひも状又はテープ状に裁断した布糸を作製するために用いる定規であって、図１に示すように、長方形板状の定規本体２と、定規本体２に所定間隔を空けて複数平行に配された直線状の複数のガイド孔３と、を備えている。
上記定規本体２は、プラスチック等の透明又は半透明の樹脂材料で形成され、長辺側の長さが３０ｃｍに設定されている。なお、長辺長さを３０ｃｍに設定することで、定規本体２自体が布の使用量を計る目安になる。
また、定規本体２には、その長辺側の側部にガイド孔に沿って目盛り４が表示されている。例えば、５ｃｍ毎に目盛り４が刻印されている。
【００１７】
複数のガイド孔３は、定規本体２の短辺方向両側に２つの領域（第１領域Ａ１、第２領域Ａ２）に分けられて配されており、これらの領域毎にガイド孔３の上記所定間隔が異なっている。なお、本実施形態では、例えばガイド孔３の間隔が８ｍｍに設定され１０本のガイド孔３で構成された第１領域Ａ１と、ガイド孔３の間隔が６．５ｍｍに設定され１０本のガイド孔３で構成された第２領域Ａ２と、を備えている。
【００１８】
上記ガイド孔３の孔幅は、図２に示すように、定規本体２の表面側から底面側に向けて漸次狭く設定されている。すなわち、ガイド孔３の孔形状が孔の幅中央に向かったテーパー状に形成されている。このガイド孔３の底面側における開口幅は、鉛筆等の筆記具又はセラミックペンカッター等のカッターの先端（芯部又は刃部）が挿通可能な幅に設定されている。
さらに、ガイド孔３は、その長さ方向に補強部５を介して複数に分断されて形成されている。なお、本実施形態では、ガイド孔３が２つの補強部５を介して長さ方向に３つに分断されて形成されている。
【００１９】
次に、本実施形態の布糸作製用定規１による布糸の作製方法について、図２から図４を参照して説明する。
【００２０】
まず、図２に示すように、ゴム製等の平板状下敷き６等の上に裁断対象の布７を載せ、さらに布７上に布糸作製用定規１を位置決めして載置する。次に、図３に示すように、ガイド孔３に鉛筆等の筆記具８の先端を差し込んでガイド孔３に沿って線引きする。上記線引きの際に、筆記具８の先端がガイド孔３にガイドされるため、この線引き作業を複数のガイド孔３で行うことで、所定間隔を空けて平行な複数の線を布７上に書くことができる。この複数の平行線に沿ってハサミ等で裁断することにより、幅が一定で正確な布糸を複数本、容易に作製することが可能になる。
【００２１】
また、布糸作製用定規１にセラミックペンカッター等のカッターを用いれば、線引き作業を行わずに直接裁断を行って布糸を作製することも可能である。すなわち、ガイド孔３にカッターの先端を差し込んでガイド孔３に沿って直接、布７を切ることで、カッターの先端がガイド孔３にガイドされ、所定間隔を空けて一定の幅の布糸を複数本、容易にかつ正確に裁断することができる。
【００２２】
なお、複数平行に並んだガイド孔３に対して、図４に示すように、布糸の目的や好みに応じて、１本毎、１本おき又は２本おきに上記線引きや裁断を行うことで、一つの定規で様々な糸幅の布糸を作製することが可能である。
例えば、１本毎のガイド孔３で線引き又は裁断を行うと、毛糸と合わせて編みやすい細めの布糸が得られると共に、セーターなどの着る物の編み物に向いた布糸が得られる。また、１本おきのガイド孔３で線引き又は裁断を行うと、薄い布素材であれば粗く編むことや、バイヤスでアクセサリーのひも等に好適な布糸を得ることができると共に、袋物などのインテリア作品用の布糸が得られる。さらに、２本おきのガイド孔３で線引き又は裁断を行うと、バイヤスで手芸に好適な布糸を得ることができる。なお、より広幅で布糸を作製すれば、布糸をリボンやコサージュなどにも適用可能である。
【００２３】
このように本実施形態の布糸作製用定規１では、定規本体２に所定間隔を空けて複数平行に配された直線状の複数のガイド孔３を備えているので、ガイド孔３に筆記具８又はカッターの先端を差し込んでガイド孔３に沿って線引き又は裁断することで、幅が一定で正確な布糸を複数本、容易に低コストで作製することが可能になる。
また、ガイド孔３の孔形状が孔の幅中央に向かったテーパー状に形成されているため、ガイド孔３に差し込まれた筆記具８やカッターの先端の位置決めが容易となり、ズレやブレ等を抑制することができる。
【００２４】
さらに、第１領域Ａ１及び第２領域Ａ２に異なる間隔の複数のガイド孔３がグループ分けして形成されているので、より様々な幅の布糸を一つの定規で作製することが可能になる。
また、補強部５を介してガイド孔３が複数に分断されているので、１本の長いガイド孔の場合に比べて、定規本体２の強度を高く維持することができ、定規本体２の歪みを抑制してより直線性の良い布糸を作製することができる。また、定規本体２の強度が維持されているので、定規の取り扱い性及び耐久性に優れている。特に薄い定規本体２を採用する場合に、好適である。
【００２５】
また、ガイド孔３に沿った目盛り４が定規本体２に設けられているので、編み物ゲージを図ることも可能になる。
また、定規本体２が透明又は半透明の材料で形成されているので、布糸の線引き又は裁断を行う際に、布糸作製用定規１下の布７の位置や模様等を布糸作製用定規１上から確認することができる。
【００２６】
なお、本考案の技術範囲は上記実施形態に限定されるものではなく、本考案の趣旨を逸脱しない範囲において種々の変更を加えることが可能である。
例えば、布糸作製用定規１下の布７がズレないように、定規本体２の底面に滑り止め加工（摩擦抵抗を増大させる凹凸やゴム薄板等の貼り付けなど）を施したり、ピン止めするための孔を定規本体２に設けても構わない。
また、カッターによってガイド孔３が削れることを抑制するために、ガイド孔３の内面に高硬度のコーティング膜を施したり、金属で覆っても構わない。
上記実施形態では、第１領域Ａ１及び第２領域Ａ２の２つの領域にガイド孔３を分けているが、ガイド孔３の間隔の異なる３以上の領域に分けても構わない。
【産業上の利用可能性】
【００２７】
布裂き編みなどに用いる布糸の作製に、本考案の布糸作製用定規を利用することが可能である。
【図面の簡単な説明】
【００２８】
【図１】本考案に係る一実施形態の布糸作製用定規を示す平面図である。
【図２】線引き又は裁断を行う際の状態における図１のＡ−Ａ線矢視断面図である。
【図３】本実施形態において、線引き又は裁断を行う際の状態を示す説明図である。
【図４】本実施形態において、線引き又は裁断を行う際の布糸幅を示す説明図である。
【符号の説明】
【００２９】
１…布糸作製用定規、２…定規本体、３…ガイド孔、４…目盛り、５…補強部、８…筆記具、Ａ１…第１領域、Ａ２…第２領域
【図１】
0003120466.tif 000003
【図２】
0003120466.tif 000004
【図３】
0003120466.tif 000005
【図４】
0003120466.tif 000006